(57)【要約】【課題】管路用止水材の除去作業を、ケーブルを損傷するおそれなく容易に効率よく行える除去用工具を提供する。【解決手段】先端に止水材の掻き取り刃２１を付設した棒状工具体２０を、保護筒１０に挿通して回転可能に保持し、この棒状工具体２０を、後端方向に付勢して、掻き取り刃２１を保護筒１０内に保持させ、保護筒後端より突出する後端側部分２２からの押動により、掻き取り刃２１を付勢力に抗して保護筒１０の先端１１より突出させるように設け、さらに後端側部分２２より回転を与えるようにする。【選択図】        図１
2004274955.tif 000002
【特許請求の範囲】
【請求項１】
管路内のケーブルとケーブル用管路の口部に取着されている管路用止水材を除去するための工具であって、
管路の内周面と該管路に挿入されているケーブルとの間の隙間に挿入可能な保護筒と、
先端に止水材の掻き取り刃が付設され、該掻き取り刃側から前記保護筒に挿通されて回転可能に保持され、後端側部分が前記保護筒後端より後方に突出している棒状工具体とからなり、
前記棒状工具体は、前記保護筒に対し後端方向に付勢され、前記掻き取り刃が前記付勢力で前記保護筒内に保持されるとともに、前記保護筒後端より突出する後端側部分からの押動により、前記掻き取り刃が前記付勢力に抗して前記保護筒先端より突出可能に設けられており、この突出状態において前記後端側部分より回転を付与できるように設けられてなることを特徴とする管路用止水材の除去用工具。
【請求項２】
前棒状工具体の後端側部分に、前記保護筒後端に当接することにより前記掻き取り刃の一定以上の突き出しを規制するストッパが設けられてなる請求項１に記載の管路用止水材の除去用工具。
【請求項３】
前記保護筒の前記掻き取り刃が収納される先端部の近傍に、掻き取られた止水材屑を排出するための排出用口が設けられてなる請求項１または２に記載の管路用止水材の除去用工具。
【発明の詳細な説明】
【０００１】
【発明の属する技術分野】
本発明は、主として地下ケーブルや管路の点検作業、新ケーブルの布設作業その他の作業のために、マンホール内のケーブル用管路の口部に設けられている止水材を除去するための除去用工具に関するものである。
【０００２】
【従来の技術と発明が解決しようとする課題】
地下ケーブルは、地下に埋設されたケーブル用の管路に布設され収容されている。各管路は所定距離をおいて設けられたマンホール間を連絡しており、マンホール内に開口している。特に縦横複数列に並列して開口している。図７に示すように、使用中の管路３０は、ケーブルＣが挿通されるととともに、管路３０の口部３１は止水とガス流出入の防止のために、該口部やや内方の内周面とケーブル外周面との間の隙間Ｓに詰め物としての止水材３２が設けられている。
【０００３】
前記の止水材３２として、水に触れることにより反応して、発泡し膨張して止水効果を発揮する、いわゆる水発泡性の止水材が利用されている。この止水材は、管路の口部やや内方に極めて強固に固着された状態であって、これを除去するのは容易ではない。
【０００４】
例えば、該管路に新たなケーブルを挿通する場合、あるいは管路の点検等の場合には、前記止水材を除去する必要があるが、従来は、作業者が、竹ベラ、あるいは先端に丸みをつけて湾曲させたドライバー型の除去工具等を使い、手作業で強い力を加えて前記止水材を掻き取るようにして取り除いている。この作業は、既設のケーブルを誤って損傷させる危険性が多分に有り、しかも困難で時間のかかる作業となっており、極めて作業効率が悪いものである。また、一部では電動ドリルの使用も試みられているが、この場合、作業効率は向上しても、ケーブルを傷つけるおそれはさらに大きくなる。
【０００５】
なお、前記のように、止水材の取り除き作業を一般の工具を使用して行っているため、これに関する公知文献は出願人の知る範囲内では見あたらない。
【０００６】
本発明は、上記に鑑みてなしたものであり、管路用止水材の除去作業を、ケーブルを損傷するおそれなく容易に効率よく行える管路用止水材の除去用工具を提供するものである。
【０００７】
【課題を解決するための手段】
上記の課題を解決する本発明は、管路内のケーブルとケーブル用管路の口部に取着されている管路用止水材を除去するための工具であって、管路の内周面と該管路に挿入されているケーブルとの間の隙間に挿入可能な保護筒と、先端に止水材の掻き取り刃が付設され、該掻き取り刃側から前記保護筒に挿通されて回転可能に保持され、後端側部分が前記保護筒後端より突出している棒状工具体とからなり、前記棒状工具体は、前記保護筒に対し後端方向に付勢され、前記掻き取り刃が前記付勢力で前記保護筒内に保持されるとともに、前記保護筒後端より突出する後端側部分からの押動により、前記掻き取り刃が前記付勢力に抗して前記保護筒先端より突出可能に設けられており、この突出状態において前記後端側部分より回転を付与できるように設けられてなることを特徴とする。
【０００８】
この管路用止水材の除去用工具によれば、これを用いて管路口部の内周面とケーブル外周面との間の隙間に設けられている止水材を除去する場合、前記保護筒を持ってその先端を前記止水材に当てるようにし、この状態で、保護筒内の棒状工具体に対して適宜の手段により回転を与えるとともに、該棒状工具体を前記後端側部分より先端の掻き取り刃を後端方向への付勢力に抗して保護筒先端より突出させ、該掻き取り刃の回転により止水材を掻き取るようにする。前記掻き取り刃の突出量は、後端側部分からの押動の具合により容易に調整でき、掻き取り状態に応じた良好な突出量にして掻き取り作業できる。
【０００９】
この掻き取り作業の際、回転する棒状工具体は、保護筒内に保持されていてケーブルに接触することがない。また、先端の掻き取り刃についても、掻き取り作用時にのみ刃先が僅かに突出するだけであって、管路の口部内周面とケーブル外周面との間の隙間に挿入する際、あるいは前記隙間から引き抜く際等には、前記付勢力により前記保護筒内に収納保持されることになるため、該掻き取り刃がケーブルに当接することがなく、取り扱い操作も安全である。それゆえ、ケーブルを損傷させるおそれなく、棒状工具体に回転を与えて作業でき、安全に効率よく止水材を除去できることになる。
【００１０】
なお、前記棒状工具体に回転を与える手段としては、保護筒後端より突出している棒状工具体の後端側部分をチャック部でチャッキングできる電動工具を利用することも、また前記後端側部分に回転用ハンドルを装着して手動で回転を与えることも可能である。作業効率上は、電動工具を利用できるようにするのが好ましい。
【００１１】
前記棒状工具体の後端側部分には、前記保護筒後端に当接することにより前記掻き取り刃の一定以上の突き出しを規制するストッパを設けておくのが好ましい。これにより、掻き取り刃の過度の突出を防止でき、安全に作業でき、ケーブルの損傷防止の効果も高められる。特に、前記ストッパが前記後端側部分に螺合手段等により位置調整可能に取着されていると、前記掻き取り刃の最大突出量を調整も容易になる。
【００１２】
前記保護筒の前記掻き取り刃が収納される先端部の近傍に、掻き取られた止水材屑を排出するための排出用口が設けられてなるものが好ましい。これにより、掻き取り刃の回転により掻き取られる止水材が保護筒先端より内部に入り込んだ場合に、該止水材屑を前記排出用口より排出でき、保護筒内での詰まりを防止できる。
【００１３】
【発明の実施の形態】
次に本発明の実施の形態を図面に示す実施例に基づいて説明する。
【００１４】
図１は本発明の管路用止水材の除去用工具の１実施例を示す一部を省略した縦断面図、図２は同上の一部を切截した平面図、図３は同上の先端側からの正面図、図４は掻き取り刃を突出させた状態の縦断面図である。
【００１５】
図において、１０はケーブル用の管路３０の内周面と該管路３０の口部３１に挿入されているケーブルＣとの間の隙間Ｓに挿入可能な保護筒であり、通常、直径が２０〜３０ｍｍ、長さが２５０〜３５０ｍｍの筒体よりなる。２０は前記の保護筒１０に挿通された棒状工具体であり、その全長は前記保護筒１０より５０〜１００ｍｍ程度長く、通常３００〜４５０ｍｍ程度のものである。もちろん、前記寸法範囲外のものでの実施も可能である。
【００１６】
前記棒状工具体２０は、先端に止水材３２の掻き取り刃２１が付設されてなり、該掻き取り刃２１側から前記保護筒１０に挿通されて、該保護筒１０内の中央に間隔をおいて配された軸受部材１２，１２により軸心部に回転可能に保持されている。通常、前記掻き取り刃２１が保護筒１０の先端部の内部に位置している。また所要長さの後端側部分２２が前記保護筒１０の後端より突出している。１３は前記保護筒１０の後端に取着されたキャップ部材、１４は前記軸受部材１２，１２の固定用ビスである。
【００１７】
前記棒状工具体２０は、前記保護筒１０内において該棒状工具体２０に固定された座部材２３と前記一つの軸受部材１２との間に配設されたスプリング２４により、前記保護筒１０に対し後端方向に付勢されており、これにより前記掻き取り刃２１が前記スプリング２４の付勢力で前記保護筒１０の先端部内に保持されるとともに、前記後端側部分２２からの押動により、前記掻き取り刃２１の刃先側所要長さを前記付勢力に抗して前記保護筒１０の先端１１より突出させることができるように設けられている。２１ａは刃先部分を示している。
【００１８】
前記棒状工具体２０の後端側部分２２は、その端部所要長さが例えば断面六角形その他の角軸状に形成され、該角軸部分２５を電動ドリル等の電動工具のチャック部（図示せず）によりチャッキングできるように設けられており、この角軸部分２５をチャッキングする電動工具により、前記棒状工具体２０に対し回転を与えることができるように構成されている。このほか、前記棒状工具体２０の後端側部分２２に回転用ハンドル（図示せず）を装着して手動で回転を与えるように構成して実施することもできる。
【００１９】
前記保護筒１０の後端より突出する前記棒状工具体２０の後端側部分２２には、前記保護筒１０の後端に当接することにより前記掻き取り刃２１の一定以上の突き出しを規制するストッパ２６が設けられている。図の場合、前記後端側部分２２における前記角軸部分２５より前記保護筒１０に近い部分がネジ部２７として形成され、該ネジ部２７に前記ストッパ２６が螺合されて取着されており、このストッパ２６の螺合位置の調整により、該ストッパ２６と保護筒後端との間の間隔を変更でき、保護筒先端１１からの掻き取り刃２１の刃先側の突出寸法ａを任意に調整できるように設けられている。通常、前記掻き取り刃３の突出寸法ａは最大で３０ｍｍ、好ましくは２０ｍｍ、さらに好ましくは、５〜１０ｍｍ程度に設定される。２８は前記ストッパ２６の固定用ネジであり、調整し設定した前記の突出寸法ａを固定して使用できるようにしている。
【００２０】
図中の１５は、前記保護筒１０の前記掻き取り刃２１が収納される先端部分の近傍において角形に切欠形成された止水材屑の排出用口であり、掻き取られて保護筒１０内に入り込む止水材屑を保護筒１０外へ排出できるように設けられている。前記排出用口１５は、先端から一つ目の軸受部材１２より先端側に開設されている。この排出用口１５は、一つには限らず、周方向に間隔を置いて複数、好ましくは２〜３個設けておくこともできる。また必要に応じて、止水材屑を前記排出用口１５に案内する傾斜ガイド（図示せず）を設けておくこともできる。
【００２１】
なお、棒状工具体２０の掻き取り刃２１については、図１〜図４の実施例のように、刃先部分２１ａが三つの尖鋭な三角状突起を有する形状をなすものには限らず、図５のような一つの三角状突起を有する刃先形状等、回転により止水材３２を掻き取ることができるものであればどのような刃先形状をなすものであってもよい。また、前記掻き取り刃２１の棒状工具体２０に対する固定手段は、図のようにリベット２９を利用するものには限らず、種々の実施が可能である。
【００２２】
さらに、前記棒状工具体２０を後端方向に付勢する手段として、保護筒１０内スプリング２４を設けているが、このほか、他のバネ手段を利用することも、また前記スプリング等のバネ手段を保護筒１０より後方の後端側部分２２の外方部部に設けて実施することも可能である。実施上は、図のように保護筒１０内にスプリング２４を設けておくのが好ましい。
【００２３】
上記の管路用止水材の除去用工具を使用して、管路口部３１の内周面とケーブルＣの外周面との間の隙間Ｓに設けられている止水材３２を除去する場合、図６のように、前記保護筒１０を持ってその先端１１を前記止水材３２に当てるようにし、この状態で、保護筒１０内の棒状工具体２０に対して、例えば電動工具を利用して回転を与えるとともに、該棒状工具体２０を後端側部分２２より押動して先端の掻き取り刃２１の刃先部分２１ａをスプリング２４による後端方向への付勢力に抗して保護筒１０の先端１１より突出させ、該掻き取り刃２１の回転により止水材３２を掻き取るようにする。この際、ストッパ２６が保護筒１０の後端に当接することにより前記掻き取り刃２１の過度の突出を防止できる。
【００２４】
そして、前記の掻き取り作業の際、回転する棒状工具体２０は、保護筒１０内に保持されていてケーブルＣに接触することがないばかりか、先端の掻き取り刃２１についても、掻き取り作用時にのみ刃先が僅かに突出するだけであり、前記隙間Ｓへの挿入時、あるいは前記隙間Ｓからの引き抜き時には、後端側部分２２より押動しない限り前記付勢力により前記保護筒１０内に収納保持されることになるため、該掻き取り刃２１がケーブルＣに当接することがなく、掻き取り刃２１の過度の突出を防止出きること相俟って、容易にかつ安全に作業できる。
【００２５】
【発明の効果】
上記したように、本発明の管路用止水材の除去用工具によれば、管路口部に強固に固着されて設けられている止水材、例えば水発泡性の止水材の除去作業を、ケーブルに損傷を与えることなく、保護筒内の棒状工具体に回転を与えて容易に作業でき、安全にして効率よく止水材を除去できることになる。
【図面の簡単な説明】
【図１】本発明の管路用止水材の除去用工具の１実施例を示す一部を省略した縦断面図である。
【図２】同上の一部を欠截した平面図である。
【図３】同上の先端側からの正面図である。
【図４】同上の掻き取り刃を突出させた状態の縦断面図である。
【図５】掻き取り刃の他の例を示す一部の正面図である。
【図６】止水材の除去作業状態の説明図である。
【図７】管路用止水材の取付状態を示す断面図である。
【符号の説明】
１０    保護筒
１１    保護筒先端
１２，１２  軸受部材
１３    キャップ部材
１５    排出用口
２０    棒状工具体
２１    掻き取り刃
２２    後端側部分
２３    座部材
２４    スプリング
２５    角軸部分
２６    ストッパ
２７    ネジ部
３０    ケーブル用の管路
３１    管路の口部
３２    止水材
ａ      掻き取り刃の突出寸法
Ｃ      ケーブル
Ｓ      隙間
【図１】
2004274955.tif 000003
【図２】
2004274955.tif 000004
【図３】
2004274955.tif 000005
【図４】
2004274955.tif 000006
【図５】
2004274955.tif 000007
【図６】
2004274955.tif 000008
【図７】
2004274955.tif 000009